(57)【特許請求の範囲】
【請求項１】
設定されている撮影処理を、設定されている撮影間隔で繰り返し実行するインターバル撮影を制御する撮影制御手段と、
前記撮影処理に要する時間に応じて、かつ前記設定されている撮影間隔を確保しながら、省電力処理動作の内容を変化させる電力管理制御手段と、
を備え、
前記電力管理制御手段は、前記撮影制御手段により制御される前記設定されている撮影間隔と、前記設定されている撮影処理に要する時間とに基づいて、前記省電力処理動作の内容を変化可能に決定させる、
ことを特徴とする撮像装置。
【請求項２】
前記電力管理制御手段は、前記撮影処理が終了してから次の撮影までの残り時間に応じて、省電力処理動作の内容を変化可能に決定させることを特徴とする請求項１に記載の撮像装置。
【請求項３】
前記電力管理制御手段は、前記撮影制御手段により制御される前記設定されている撮影間隔と、前記設定されている撮影処理に要する時間との差が所定の時間より短い場合は、省電力処理動作の内容として、前記省電力処理動作を禁止する、
ことを特徴とする請求項１又は２に記載の撮像装置。
【請求項４】
前記設定されている撮影処理、又は設定されている撮影間隔は、異なる値に設定可能であり、
前記電力管理制御手段は、前記撮影制御手段により制御される前記異なる値に設定された撮影間隔と、前記異なる値に設定された撮影処理に要する時間とに基づいて、前記省電力処理動作の内容を変化可能に決定させる、
ことを特徴とする請求項１に記載の撮像装置。
【請求項５】
前記設定されている撮影処理、又は設定されている撮影間隔は、任意に設定可能であり、
前記電力管理制御手段は、前記撮影制御手段により制御される前記任意に設定された撮影間隔と、前記任意に設定された撮影処理に要する時間とに基づいて、前記省電力処理動作の内容を変化可能に決定させる、
ことを特徴とする請求項４に記載の撮像装置。
【請求項６】
前記撮影制御手段は、撮影する対象に応じて設定される撮影シーンに応じて、前記撮影処理の設定及び前記撮影間隔の設定を変更してインターバル撮影を制御し、
前記電力管理制御手段は、前記撮影シーンに基づいて、前記省電力処理動作の内容を変化可能に決定させる、
ことを特徴とする請求項１に記載の撮像装置。
【請求項７】
前記電力管理制御手段は、撮影可能な状態への復帰に要する時間に応じて、かつ前記設定されている撮影間隔を確保しながら、更に、省電力処理動作の内容を変化させる、
ことを特徴とする請求項１乃至６のいずれか１項に記載の撮像装置。
【請求項８】
設定されている撮影処理を、設定されている撮影間隔で繰り返し実行するインターバル撮影を制御する撮影制御手段と、
前記撮影処理に要する時間に応じて、かつ前記設定されている撮影間隔を確保しながら、省電力処理動作の内容を変化させる電力管理制御手段と、
を備え、
前記電力管理制御手段は、撮影可能な状態への復帰に要する時間に応じて、かつ前記設定されている撮影間隔を確保しながら、更に、省電力処理動作の内容を変化させ、
前記電力管理制御手段は、前記撮影制御手段により制御される前記設定されている撮影間隔と、前記撮影可能な状態への復帰に要する時間とに基づいて、省電力処理動作の内容を変化可能に決定させる、
ことを特徴とする撮像装置。
【請求項９】
前記電力管理制御手段は、前記撮影処理が終了してから次の撮影までの残り時間と、前記撮影可能な状態への復帰に要する時間とに基づいて、省電力処理動作の内容を変化可能に決定させる、
ことを特徴とする請求項８に記載の撮像装置。
【請求項１０】
前記電力管理制御手段は、前記撮影制御手段により制御される前記設定されている撮影間隔と、撮影可能な状態への復帰に要する時間との差が、所定の時間より短い場合は、省電力処理動作の内容として、前記省電力処理動作を禁止する、
ことを特徴とする請求項８又は９に記載の撮像装置。
【請求項１１】
前記撮影制御手段は、撮影シーンにより前記撮影処理の設定を変更してインターバル撮影を制御し、
前記電力管理制御手段は、前記撮影シーンに対応する撮影可能な状態への復帰に要する時間に基づいて、省電力処理動作の内容を変化可能に決定させる、
ことを特徴とする請求項８に記載の撮像装置。
【請求項１２】
前記撮影可能な状態への復帰に要する時間は、省電力状態から撮影可能な状態への復帰に要する時間、又は省電力状態からの復帰とは異なる撮影準備に要する時間である、
ことを特徴とする請求項８乃至１１のいずれか１項に記載の撮像装置。
【請求項１３】
前記電力管理制御手段は、省電力処理動作の内容として、省電力処理動作の種類、又は、省電力処理を禁止するか否かを変化させる、
ことを特徴とする請求項１乃至１２のいずれか１項に記載の撮像装置。
【請求項１４】
前記省電力処理動作の種類は、当該撮像装置の電源のオフ又はスリープである、
ことを特徴とする請求項１３に記載の撮像装置。
【請求項１５】
設定されている撮影処理を、設定されている撮影間隔で繰り返し実行するインターバル撮影を制御する撮影制御処理と、
前記撮影処理に要する時間に応じて、かつ前記設定されている撮影間隔を確保しながら、省電力処理動作の内容を変化させる電力制御処理と、
を含み、
前記電力管理制御処理において、前記撮影制御処理で制御される前記設定されている撮影間隔と、前記設定されている撮影処理に要する時間とに基づいて、前記省電力処理動作の内容を変化可能に決定させる、
ことを特徴とする撮像方法。
【請求項１６】
撮像装置を制御するコンピュータに、
設定されている撮影処理を、設定されている撮影間隔で繰り返し実行するインターバル撮影を制御する撮影制御機能と、
前記撮影処理に要する時間に応じて、かつ前記設定されている撮影間隔を確保しながら、省電力処理動作の内容を変化させる電力制御機能と、
を実現させ、
前記電力管理制御機能は、前記撮影制御機能により制御される前記設定されている撮影間隔と、前記設定されている撮影処理に要する時間とに基づいて、前記省電力処理動作の内容を変化可能に決定させる、
ことを特徴とするプログラム。
【請求項１７】
設定されている撮影処理を、設定されている撮影間隔で繰り返し実行するインターバル撮影を制御する撮影制御手段と、
前記撮影処理に要する時間、又は撮影可能な状態への復帰に要する時間に応じて、省電力処理動作の内容を変化させる電力管理制御手段と、
を備え、
前記撮影制御手段は、撮影する対象に応じて設定される撮影シーンに応じて、前記撮影処理の設定及び前記撮影間隔の設定を変更してインターバル撮影を制御し、
前記電力管理制御手段は、前記撮影シーンに基づいて、前記省電力処理動作の内容を変化させる、
ことを特徴とする撮像装置。
【発明の詳細な説明】
【技術分野】
【０００１】
本発明は、撮像装置、撮像方法及びプログラムに関する。
【背景技術】
【０００２】
従来より、インターバル撮影において、実際の撮影処理以外のインターバル時間も撮影待機状態を維持すると、電池の消耗や撮像装置の温度上昇といった弊害があるため、省電力制御を行う技術が特許文献１に開示されている。この特許文献１に開示される技術では、撮影間隔の値に基づいて、自動電源オフ及び自動電源オンの時間が自動設定される。
【先行技術文献】
【特許文献】
【０００３】
【特許文献１】特開２００６−９３８６７号公報
【発明の概要】
【発明が解決しようとする課題】
【０００４】
しかしながら、撮影技術も多様になってきており、ＨＤＲ（Ｈｉｇｈ  Ｄｙｎａｍｉｃ  Ｒａｎｇｅ）技術を使用して芸術的な画像処理を施した撮影を行うＨＤＲアートといった特殊な撮影を行うと連写された画像を合成するといった処理を行うことにより、通常の撮影に比べて撮影後の処理に時間がかかるため、必ずしも適切な省電力制御を行うことができないという問題がある。
【０００５】
本発明は、このような状況に鑑みてなされたものであり、インターバル撮影の撮影方法によらず適切な省電力制御を行うことを目的とする。
【課題を解決するための手段】
【０００６】
上記目的を達成するため、本発明の一態様の撮像装置は、
設定されている撮影処理を、設定されている撮影間隔で繰り返し実行するインターバル撮影を制御する撮影制御手段と、
前記撮影処理に要する時間に応じて、かつ前記設定されている撮影間隔を確保しながら、省電力処理動作の内容を変化させる電力管理制御手段と、
を備え、
前記電力管理制御手段は、前記撮影制御手段により制御される前記設定されている撮影間隔と、前記設定されている撮影処理に要する時間とに基づいて、前記省電力処理動作の内容を変化可能に決定させる、
ことを特徴とする。
【発明の効果】
【０００７】
本発明によれば、インターバル撮影の撮影方法によらず適切な省電力制御を行うことができる。
【図面の簡単な説明】
【０００８】
【図１】本発明の一実施形態に係る撮像装置のハードウェアの構成を示すブロック図である。
【図２】図１の撮像装置の機能的構成のうち、インターバル撮影処理を実行するための機能的構成を示す機能ブロック図である。
【図３】撮影シーンテーブルを説明するための図である。
【図４】図２の機能的構成を有する図１の撮像装置が実行するインターバル撮影処理の流れを説明するフローチャートである。
【図５】インターバル撮影処理のうち、省電力制御処理の詳細な流れを説明するフローチャートである。
【図６】インターバル撮影処理のうち、復帰制御処理の詳細な流れを説明するフローチャートである。
【発明を実施するための形態】
【０００９】
以下、本発明の実施形態について、図面を用いて説明する。
【００１０】
図１は、本発明の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
このように構成される撮像装置１においては、設定した撮影間隔で撮影処理を実行し、所定の撮影間隔で撮影された複数枚の画像（以下、「インターバル撮影画像」という。）を取得するインターバル撮影を行う機能を有する。
【００２１】
また、従来においては、例えば、撮影間隔が短すぎると撮影後の保存処理等の処理が終了する前に次の撮影間隔となってしまい、撮影が行われず、インターバル撮影が確約されないという問題があった。そこで、本実施形態の撮像装置１においては、撮影に係る処理（撮影後の処理や撮影前の処理）を考慮して、撮影間隔の設定を許容することで、確実にインターバル撮影を行える機能を有する。
【００２２】
さらに、本実施形態の撮像装置１は、インターバル撮影の非撮影時には、省電力制御を行うように構成するが、インターバル撮影の撮影方法によらずに、適切な省電力制御を行うことができる機能を有する。即ち、撮像装置１は、インターバル撮影の撮影ごとの撮影に係る処理（撮影後の処理や撮影前の処理）を考慮して省電力処理を行うことで、確実にインターバル撮影を行うと共に、効率的に電力消費を抑えることができる機能を有する。
【００２３】
具体的には、撮像装置１では、インターバル撮影の撮影を実行し、撮影後の処理が終了するごとに次の撮影までの残り時間を算出して、その算出した時間を基に、装置の電源をオフしたり、スリープを行ったり、省電力（電源・スリープオフ）を禁止するかを判定するように構成する。例えば、標準的な撮影後のファイル化といった保存処理についても所定の処理時間がかかるために、当該処理を考慮して、処理が終了したタイミングで装置の計時機能といった必要最小限の機能を除く機能をオフしたり、出力部１８のディスプレイを消灯するスリープを行ったりする、或いは、省電力（電源・スリープオフ）を禁止したりする、いずれの処理を実行するか判定するように構成する。さらには、ＨＤＲアートやマクロから無限遠まで焦点の合っている全焦点マクロのような撮影後の連写された画像を合成するといった処理により多くの時間が必要な撮影シーンを採用している場合には、当該撮影シーンで必要な処理が終了したタイミングで装置の電源をオフしたり、スリープを行ったり、省電力（電源・スリープオフ）を禁止したりする、いずれの処理を実行するか判定するように構成する。
なお、スリープよりも電源のオフの方が省電力効果は高いが、撮影可能状態への復帰に要する時間は長い。
【００２４】
また、撮像装置１では、例えば、ストロボ充電撮影を行う場合には、次回の撮影までの間にストロボ充電の起動時間が必要であるため、当該起動時間を考慮した電源のオフやスリープからの復帰を行う。これにより、撮像装置１では、インターバル撮影に影響なく、適切な省電力制御を行う。
【００２５】
図２は、このような撮像装置１の機能的構成のうち、インターバル撮影処理を実行するための機能的構成を示す機能ブロック図である。
本実施形態のインターバル撮影処理とは、撮影シーンに応じた設定の下でインターバル撮影を行うと共に、撮影を行わない時期に設定に応じた省電力に係る動作管理を行う一連の処理をいう。
【００２６】
インターバル撮影処理は、図２に示すように、ＣＰＵ１１において、撮影シーン設定部５１と、インターバル撮影処理部５２と、動作管理制御部５３と、が機能する。
【００２７】
また、記憶部１９の一領域には、撮影シーン情報記憶部７１と、インターバル撮影画像記憶部７２と、動作条件情報記憶部７３と、が設定される。
【００２８】
撮影シーン情報記憶部７１には、撮影シーンに対応するパラメータの情報（以下、「撮影シーン情報」という。）が記憶される。
撮影シーン情報は、撮影シーンと、撮影に係るパラメータとが対応づけられているテーブル（以下、「撮影シーンテーブル」という。）を含む。
【００２９】
ここで、撮影シーンテーブルについて説明する。
図３は、撮影シーンテーブルを説明するための図である。
【００３０】
撮影シーンテーブルは、図３に示すように、「撮影シーン」と、「撮影間隔」，「撮影枚数」，「フォーカス」，「露出」，「ホワイトバランス」，「シャッタースピード」，「撮影処理時間」，「復帰時間」とが対応付けられている。
【００３１】
「撮影シーン」としては、本実施形態においては、「ノーマル」，ＨＤＲ処理を施した画像を所望する場合の「ＨＤＲアート」，人物を撮影する場合の「人物」，夜景を撮影する場合の「夜景」，花を撮影する場合の「花」，夜間撮影を行う場合の「夜間（ストロボ充電）」がある。
【００３２】
それぞれの撮影シーンでは、所望する画像や被写体に適した撮影パラメータが初期設定され、例えば、「撮影間隔」等においては、所定の範囲内でユーザが選択可能に構成される。
【００３３】
また、各撮影シーンでは、保存処理等で、撮影後に後処理の時間がかかる。また、撮影後の後処理の時間に関しては、特に、「撮影シーン：ＨＤＲアート」の場合では、撮像後に後処理を施す等のために「撮影処理時間」が他の撮影シーンよりも多くの時間を要する特性がある。本例の撮影シーンテーブルに図示しないが、例えば、全焦点マクロの撮影シーンについても同様のことが言える。
したがって、撮像装置１では、省電力・復帰の動作制御による電源の管理を行う場合には、電源オフやスリープの開始時間を、「撮影処理時間」を考慮して行われるように構成される。
また、撮影間隔が撮影処理時間よりも短いや撮影処理時間を考慮するとほとんど残りの時間がない場合には、電源オフやスリープを行わないように構成される。
【００３４】
また、「撮影シーン：夜間（ストロボ充電）」の場合では、撮影に備えてストロボ充電の準備をするために、撮影を再開する前に撮影に復帰するための復帰時間が必要となる特性がある。
したがって、撮像装置１では、省電力を考慮して電源の管理を行う場合には、「復帰時間」差し引いて、電源オフやスリープの有無を決定するように構成される。
【００３５】
図２に戻り、インターバル撮影画像記憶部７２には、インターバル撮影で取得した複数の撮像画像のデータが記憶される。
【００３６】
動作条件情報記憶部７３には、撮影シーンに対応した装置の動作制御に関する条件の情報（以下、「動作条件情報」という。）が記憶される。
本実施形態の動作条件情報は、省電力処理と復帰制御処理の動作を行うか否かを決定するための各種条件式の情報を含む。
【００３７】
省電力処理の動作は、電源オフと、スリープと、省電力制御の禁止の動作である。
電源オフ状態へ移行する省電力制御処理の動作を決定する条件は、以下の省電力条件式１においてＴ１の条件を満たす場合である。
Ｒ−（ｂ１＋ｂ３）≧Ｔ１・・・省電力条件式１
なお、「Ｒ」は、インターバル撮影ごとの撮影後の処理を実行したタイミングから次回撮影までの残り時間であり、「ｂ１」は、電源オフ状態から撮影可能な状態への復帰に要する時間（例：１０秒）であり、「ｂ３」は、撮影シーンに依存するその他の撮影可能な状態への復帰に要する時間であり、「Ｔ１」は、電源オフ状態へ移行する閾値（例：１分）である。
【００３８】
また、スリープ状態へ移行する省電力制御処理の動作を決定する条件は、以下の省電力条件式２においてＴ２の条件を満たす場合である。
Ｒ−（ｂ２＋ｂ３）≧Ｔ２・・・省電力条件式２
なお、「Ｒ」は、インターバル撮影ごとの撮影後の処理を実行したタイミングから次回撮影までの残り時間であり、「ｂ２」は、スリープ状態から撮影可能な状態への復帰に要する時間（例：３秒）であり、「ｂ３」は、撮影シーンに依存するその他の撮影可能な状態への復帰に要する時間であり、「Ｔ２」は、スリープ状態へ移行する閾値（例：１０秒）である。
【００３９】
さらに、省電力制御の禁止とする省電力制御処理の動作を決定する条件は、上述した省電力条件式１及び２についての条件をそれぞれ満たさない場合となる。
【００４０】
これに対して、電源オフ状態から復帰する復帰制御処理の動作を決定する条件は、以下の復帰条件式１の条件を満たす場合である。
Ｒ−（ｂ１＋ｂ３）≦０・・・復帰条件式１
なお、「Ｒ」は、インターバル撮影ごとの撮影後の処理を実行したタイミングから次回撮影までの残り時間であり、「ｂ１」は、電源オフ状態から撮影可能な状態への復帰に要する時間（例：１０秒）であり、「ｂ３」は、撮影シーンに依存するその他の撮影可能な状態への復帰に要する時間である。
【００４１】
また、スリープ状態から復帰する復帰制御処理の動作を決定する条件は、以下の復帰条件式２の条件を満たす場合である。
Ｒ−（ｂ２＋ｂ３）≦０・・・復帰条件式２
なお、「Ｒ」は、インターバル撮影ごとの撮影後の処理を実行したタイミングから次回撮影までの残り時間であり、「ｂ２」は、スリープ状態から撮影可能な状態への復帰に要する時間（例：３秒）であり、「ｂ３」は、撮影シーンに依存するその他の撮影可能な状態への復帰に要する時間である。
【００４２】
省電力制御の禁止の状態から復帰する復帰制御処理の動作を決定する条件は、以下の復帰条件式３の条件を満たす場合である。
Ｒ−ｂ３≦０・・・復帰条件式３
なお、「Ｒ」は、インターバル撮影ごとの撮影後の処理を実行したタイミングから次回撮影までの残り時間であり、「ｂ３」は、撮影シーンに依存するその他の撮影可能な状態への復帰に要する時間である。
【００４３】
撮像装置１では、上述した省電力制御処理の実行を省電力条件式１及び２から判断し、復帰制御処理の実行を復帰条件１及び２から判断することにより行う。即ち、撮像装置１では、設定された撮影シーンに応じて、各条件から省電力制御処理や復帰制御処理を実行することになる。
【００４４】
図２に戻り、撮影シーン設定部５１は、撮影シーンに応じた撮影に係るパラメータの設定を行う。
具体的には、撮影シーン設定部５１は、ユーザからの撮影シーンの選択を受け付ける。なお、本実施形態においては、ユーザからの撮影シーンの選択を受け付けるように構成したが、装置が周囲の環境や被写体等を自動判別して撮影シーンを自動的に選択するように構成してもよい。
【００４５】
また、撮影シーン設定部５１は、撮影シーン情報記憶部７１に記憶される撮影シーン情報（具体的には、図３の撮影シーンテーブル）を参照して、ユーザにより選択された撮影シーンに応じたパラメータに設定し、ユーザからのパラメータ変更も受け付ける。
【００４６】
インターバル撮影処理部５２は、インターバル撮影に係る撮像部１６の制御等の処理を実行する。
【００４７】
具体的には、インターバル撮影処理部５２は、設定された枚数のインターバル撮影画像を取得するために撮影枚数の管理と、撮像部１６の制御を行う。
また、インターバル撮影処理部５２は、撮影後の処理として、撮像部１６から出力されたインターバル撮影画像に対して、撮影シーンの設定に基づいて、種々の撮影後の処理を実行する。例えば、撮影シーンの標準的な処理としての画像の保存処理や撮影シーン特有の処理として、ＨＤＲの処理を施した画像の生成処理や全焦点マクロの処理を施した画像の生成処理等の処理を実行する。
また、インターバル撮影処理部５２は、撮影後の処理を施したインターバ撮影画像を記憶するようにインターバル撮影画像記憶部７２を制御する。
【００４８】
動作管理制御部５３は、装置の電源管理に係る動作や、電源管理を経た状態からの復帰に係る動作等の各種動作の管理を制御する。また、動作管理制御部５３は、省電力制御処理部９１と、復帰制御処理部９２と、を備える。
なお、本実施形態においては、電源管理として電源オフやスリープを行うが、電源オフは、レンズの沈胴状態を伴う各種機能の停止状態を含み、スリープは、レンズの沈胴状態を伴わない各種機能の一時的な停止状態を含むものとする。
【００４９】
省電力制御処理部９１は、電源オフ、スリープ、省電力制御の禁止の判定及び制御に係る処理を実行する。
【００５０】
具体的には、省電力制御処理部９１は、インターバル撮影の撮影間隔と、撮影後の処理とを考慮して、電源オフ、スリープ、省電力制御の禁止の決定を行う。本実施形態においては、省電力制御処理部９１は、動作条件情報記憶部７３に記憶される省電力条件式１及び２により、電源オフ、スリープ、省電力制御の禁止の決定を行う。即ち、省電力制御処理部９１は、省電力条件式１を満たすことで電源オフとし、省電力条件式１を満たさず省電力条件式２を満たすことでスリープとし、省電力条件式１及び２共に満たさないことで省電力制御の禁止とする。
【００５１】
また、省電力制御処理部９１は、省電力条件の判断結果に応じて、電源オフ、スリープ、省電力制御の禁止、の何れかの処理を実行する。具体的には、省電力制御処理部９１は、電源オフ状態への移行、スリープ状態への移行、電源オフ又はスリープの省電力状態への移行を禁止する処理を実行する。
【００５２】
復帰制御処理部９２は、電源オフ状態、スリープ状態、省電力制御の禁止状態からの装置の機能復帰（撮影待機状態への復帰）の判定及び制御に係る処理を実行する。
【００５３】
具体的には、復帰制御処理部９２は、インターバル撮影の撮影間隔と、撮影前の処理とを考慮して、電源オフ状態、スリープ状態、省電力制御の禁止状態からの復帰の決定を行う。本実施形態においては、復帰制御処理部９２は、動作条件情報記憶部７３に記憶される復帰条件式１乃至３により、電源オフ状態、スリープ状態、省電力制御の禁止状態からの復帰の決定を行う。即ち、復帰制御処理部９２は、電源オフ状態で復帰条件式１を満たすこと、スリープ状態で復帰条件式２を満たすこと、省電力制御の禁止状態で復帰条件式３を満たすことで復帰とする。
【００５４】
また、復帰制御処理部９２は、省電力条件の判断結果に応じて、撮影待機状態への復帰処理を実行する。復帰処理は、単なる撮影可能な状態にするものであり、撮影シーンによってはストロボ充電等の起動処理も含む。
【００５５】
図４は、図２の機能的構成を有する図１の撮像装置１が実行するインターバル撮影処理の流れを説明するフローチャートである。
インターバル撮影処理は、ユーザによる入力部１７へのインターバル撮影処理開始の操作により開始される。
【００５６】
ステップＳ１１において、撮影シーン設定部５１は、ユーザにより入力部１７を介した撮影シーンの選択を受け付ける。
【００５７】
ステップＳ１２において、撮影シーン設定部５１は、撮影シーン情報記憶部７１に記憶される撮影シーンテーブルを参照して、ユーザにより選択された撮影シーンに応じたパラメータに設定する。
【００５８】
ステップＳ１３において、撮影シーン設定部５１は、ユーザにより入力部１７を介した設定された撮影シーンのパラメータの変更を受け付ける。
【００５９】
ステップＳ１４において、インターバル撮影処理部５２は、ユーザにより入力部１７を介して撮影開始操作があったか否かを判定する。
撮影開始操作がない場合には、ステップＳ１４においてＮＯと判定されて、撮影開始操作があるまで待機状態となる。
撮影開始操作があった場合には、ステップＳ１４においてＹＥＳと判定されて、処理はステップＳ１５に進む。
【００６０】
ステップＳ１５において、インターバル撮影処理部５２は、以降のインターバル撮影に備えて、撮影枚数を０とカウントする。
【００６１】
ステップＳ１６において、インターバル撮影処理部５２は、撮影を実行する。即ち、インターバル撮影処理部５２は、撮影シーンの設定に基づいて、撮像部１６を制御する。
なお、インターバル撮影処理部５２は、撮影にあたり、モニタリングをし、画像を出力部１８に表示させるように構成してもよいし、電力消費を抑えるためにモニタリングを停止し、出力部１８の表示を停止させるように構成してもよい。
【００６２】
ステップＳ１７において、インターバル撮影処理部５２は、撮影後の処理を実行する。即ち、インターバル撮影処理部５２は、撮像部１６から出力されたインターバル撮影画像に対して、撮影シーンの設定に基づいて、種々の撮影後の処理を実行する。その後、インターバル撮影処理部５２は、撮影後の処理を施したインターバル撮影画像をインターバル撮影画像記憶部７２に記憶させる。
【００６３】
ステップＳ１８において、インターバル撮影処理部５２は、撮影後の処理が終了したか否かを判定する。
撮影後の処理は終了していない場合には、ステップＳ１８においてＮＯと判定されて、処理はステップＳ１６に戻る。
撮影後の処理は終了している場合には、ステップＳ１８においてＹＥＳと判定されて、処理はステップＳ１９に進む。
【００６４】
ステップＳ１９において、インターバル撮影処理部５２は、撮影枚数を１枚インクリメントしてカウントする。
【００６５】
ステップＳ２０において、インターバル撮影処理部５２は、撮影枚数分完了しているか否かを判定する。
撮影枚数分完了している場合には、ステップＳ２０においてＹＥＳと判定されて、インターバル撮影処理は終了する。
撮影枚数分完了してない場合には、ステップＳ２０においてＮＯと判定さえて、処理はステップＳ２１に進む。
【００６６】
ステップＳ２１において、省電力制御処理部９１は、省電力制御処理を実行する。省電力制御処理の詳細については、後述する。
【００６７】
ステップＳ２２において、復帰制御処理部９２は、復帰制御処理を実行する。復帰制御処理の詳細については、後述する。その後、処理はステップＳ１６に戻る。
【００６８】
次に、インターバル撮影処理のうち、省電力制御処理の詳細な流れを説明する。
図５は、インターバル撮影処理のうち、省電力制御処理の詳細な流れを説明するフローチャートである。
【００６９】
ステップＳ３１において、省電力制御処理部９１は、省電力条件式１を満たすか否かを判定する。即ち、電源オフ状態へ移行させることが適切であるか否かを判定する。
省電力条件式１を満たさない場合には、ステップＳ３１においてＮＯと判定されて、処理はステップＳ３３に進む。ステップＳ３４以降の処理は、後述する。
省電力条件式１を満たす場合には、即ち、電源オフ状態へ移行させることが適切である判定されて場合には、ステップＳ３１においてＹＥＳと判定されて、処理はステップＳ３２に進む。
【００７０】
ステップＳ３２において、省電力制御処理部９１は、電源オフ状態へ移行させるように装置の各機能部を制御する。
【００７１】
ステップＳ３３において、省電力制御処理部９１は、省電力条件式２を満たすか否かを判定する。即ち、スリープ状態へ移行させることが適切であるか否かを判定する。
省電力条件式２を満たさない場合には、ステップＳ３３においてＮＯと判定されて、処理はステップＳ３５に進む。ステップＳ３５の処理は、後述する。
省電力条件式２を満たす場合には、即ち、スリープ状態へ移行させることが適切である判定されて場合には、ステップＳ３３においてＹＥＳと判定されて、処理はステップＳ３４に進む。
【００７２】
ステップＳ３４において、省電力制御処理部９１は、スリープ状態へ移行させるように装置の各機能部を制御する。
【００７３】
ステップＳ３５において、省電力制御処理部９１は、省電力制御（省電力状態への移行）を禁止する。即ち、電源オフ状態へ移行させることもスリープ状態へ移行させることが適切ではない判定されて、省電力制御処理部９１は、起動状態を維持するように装置の各機能部を制御する。
【００７４】
次に、インターバル撮影処理のうち、復帰制御処理の詳細な流れを説明する。
図６は、インターバル撮影処理のうち、復帰制御処理の詳細な流れを説明するフローチャートである。
【００７５】
ステップＳ５１において、復帰制御処理部９２は、電源オフ状態か否かを判定する。
電源オフ状態でない場合には、ステップＳ５１においてＮＯと判定されて、処理はステップＳ５３に進む。ステップＳ５３以降の処理は、後述する。
【００７６】
ステップＳ５２において、復帰制御処理部９２は、復帰条件式１を満たすか否かを判定する。即ち、電源オフ状態から撮影可能状態への復帰に要する時間前となったか否かを判定する。
復帰条件式１を満たさない場合には、ステップＳ５２においてＮＯと判定されて、復帰条件式１を満たす状態となるまで待機状態となる。
復帰条件式１を満たす場合には、即ち、電源オフ状態から撮影可能な状態への復帰に要する時間前となった場合には、ステップＳ５２においてＹＥＳと判定されて、処理はステップＳ５６に進む。ステップＳ５６の処理については、後述する。
【００７７】
ステップＳ５３において、復帰制御処理部９２は、スリープ状態か否かを判定する。
スリープ状態でない場合には、ステップＳ５３においてＮＯと判定されて、処理はステップＳ５５に進む。
スリープ状態の場合には、ステップＳ５３において、ＹＥＳと判定されて、処理はステップＳ５４に進む。
【００７８】
ステップＳ５４において、復帰制御処理部９２は、復帰条件式２を満たすか否かを判定する。即ち、スリープ状態から撮影可能状態への復帰に要する時間前となったか否かを判定する。
復帰条件式２を満たさない場合には、ステップＳ５４においてＮＯと判定されて、復帰条件式２を満たす状態となるまで待機状態となる。
復帰条件式２を満たす場合には、即ち、スリープ状態から撮影可能な状態への復帰に要する時間前となった場合には、ステップＳ５４においてＹＥＳと判定されて、処理はステップＳ５６に進む。
【００７９】
ステップＳ５５において、復帰制御処理部９２は、復帰条件式３を満たすか否かを判定する。即ち、起動状態から撮影シーンに依存するその他の撮影可能な状態への復帰に要する時間前となったか否かを判定する。
復帰条件式３を満たさない場合には、ステップＳ５５においてＮＯと判定されて、復帰条件式３を満たす状態となるまで待機状態となる。
復帰条件式３を満たす場合には、即ち、起動状態から撮影シーンに依存するその他の撮影可能な状態への復帰に要する時間前となった場合には、ステップＳ５５においてＹＥＳと判定されて、処理はステップＳ５６に進む。
【００８０】
ステップＳ５６において、復帰制御処理部９２は、撮影待機状態への復帰処理を実行する。
【００８１】
＜変形例＞
上述した実施形態の省電力条件式及び復帰条件式の他の例について説明する。
本例では、上述した実施形態の省電力条件式１，２に代えて以下の式が適用可能となる。上述した実施形態の省電力条件式１，２では、撮影後の処理が終了するごとに次の撮影までの残り時間を算出し、その算出結果で省電力に係る制御を決定していたが、本例の省電力条件式１，２では、設定されている撮影間隔と図３の撮影シーンテーブルで予め設定されている撮影シーンに応じた撮影後の処理時間との差で省電力に係る制御を決定する。
【００８２】
電源オフ状態へ移行する省電力制御処理の動作を決定する条件は、以下の省電力条件式１においてＴ１の条件を満たす場合である。
Ｉ−（ａ＋ｂ１＋ｂ３）≧Ｔ１・・・省電力条件式１
なお、「Ｉ」は、撮影間隔であり、「ａ」は、撮影シーン毎の撮影処理に要する時間であり、「ｂ１」は、電源オフ状態から撮影可能な状態への復帰に要する時間（例：１０秒）であり、「ｂ３」は、撮影シーン毎のその他の撮影可能な状態への復帰に要する時間であり、「Ｔ１」は、電源オフ状態へ移行する閾値（例：３分）である。
【００８３】
また、スリープ状態へ移行する省電力制御処理の動作を決定する条件は、以下の省電力条件式２においてＴ２の条件を満たす場合である。
Ｉ−（ａ＋ｂ２＋ｂ３）≧Ｔ２・・・省電力条件式１
なお、「Ｉ」は、撮影間隔であり、「ａ」は、撮影シーン毎の撮影処理に要する時間であり、「ｂ２」は、スリープ状態から撮影可能な状態への復帰に要する時間（例：３秒）であり、「ｂ３」は、撮影シーン毎のその他の撮影可能な状態への復帰に要する時間であり、「Ｔ２」は、スリープ状態へ移行する閾値（例：１分）である。
【００８４】
さらに、省電力制御の禁止とする省電力制御処理の動作を決定する条件は、上述した省電力条件式１及び２についての条件をそれぞれ満たさない場合となる。
【００８５】
これに対して、復帰制御処理の動作を決定する復帰条件式１〜３は、上述の実施形態と同様である。
【００８６】
以上のように構成される撮像装置１は、インターバル撮影処理部５２と、動作管理制御部５３と、を備える。
インターバル撮影処理部５２は、設定されている撮影処理を設定されている撮影間隔で繰り返し実行するインターバル撮影を制御する。
動作管理制御部５３は、撮影処理に要する時間、又は撮影可能な状態への復帰に要する時間の違いに応じて、省電力処理動作の内容を変化させる。
これにより、撮像装置１においては、撮影処理に要する時間、又は撮影可能な状態への復帰に要する時間に応じて、省電力処理動作の内容を変化させるために、インターバル撮影の撮影方法によらず適切な省電力制御を行うことができる。
【００８７】
動作管理制御部５３は、インターバル撮影処理部５２により制御される設定されている撮影間隔と、設定されている撮影処理に要する時間とに基づいて、省電力処理動作の内容を変化可能に決定させる。
これにより、撮像装置１においては、インターバル撮影の撮影方法によらず適切な省電力制御を行うことができる。
【００８８】
動作管理制御部５３は、撮影処理が終了してから次の撮影までの残り時間に応じて、省電力処理動作の内容を変化させる。
これにより、撮像装置１においては、インターバル撮影の撮影方法によらず適切な省電力制御を行うことができる。
【００８９】
動作管理制御部５３は、インターバル撮影処理部５２により制御される設定されている撮影間隔と、設定されている撮影処理に要する時間との差が所定の時間より短い場合は、省電力処理状態への移行を禁止する。
これにより、撮像装置１においては、不要に省電力処理動作を行なわずにインターバル撮影を確実に行うことができ、インターバル撮影を確約することができる。
【００９０】
また、撮像装置１では、設定されている撮影処理、又は設定されている撮影間隔は、任意に設定可能である。
動作管理制御部５３は、インターバル撮影処理部５２により制御される任意に設定された撮影間隔と、任意に設定された撮影処理に要する時間とに基づいて、省電力処理動作の内容を変化可能に決定させる。
これにより、撮像装置１においては、インターバル撮影を確実に行うことができ、インターバル撮影を確約することができる。
【００９１】
インターバル撮影処理部５２は、撮影シーンにより撮影処理の設定及び前記撮影間隔の設定を変更してインターバル撮影を制御する。
動作管理制御部５３は、撮影シーンに対応する撮影処理に要する時間に基づいて、省電力処理動作の内容を変化させる。
これにより、撮像装置１においては、インターバル撮影の撮影方法によらずに、インターバル撮影を確約することができる。
【００９２】
動作管理制御部５３は、インターバル撮影処理部５２により制御される設定されている撮影間隔と、撮影可能な状態への復帰に要する時間とに基づいて、省電力処理動作の内容を変化させる。
これにより、撮像装置１においては、インターバル撮影を確約することができると共に、インターバル撮影の撮影方法によらず適切な省電力制御を行うことができる。
【００９３】
動作管理制御部５３は、撮影処理が終了してから次の撮影までの残り時間と、撮影可能な状態への復帰に要する時間とに基づいて、省電力処理動作の内容を変化させる。
これにより、撮像装置１においては、インターバル撮影を確約することができると共に、インターバル撮影の撮影方法によらず適切な省電力制御を行うことができる。
【００９４】
動作管理制御部５３は、インターバル撮影処理部５２により制御される設定されている撮影間隔と、撮影可能な状態への復帰に要する時間との差が、所定の時間より短い場合は、省電力処理動作を禁止する。
これにより、撮像装置１においては、不要に省電力処理動作を行なわずにインターバル撮影を確約することができる。
【００９５】
インターバル撮影処理部５２は、撮影シーンにより撮影処理の設定を変更してインターバル撮影を制御する。
動作管理制御部５３は、撮影シーンに対応する撮影可能な状態への復帰に要する時間に基づいて、省電力処理動作の内容を変化させる。
これにより、撮像装置１においては、インターバル撮影の撮影方法によらずに、インターバル撮影を確約することができる。
【００９６】
撮影可能な状態への復帰に要する時間は、省電力状態から撮影可能な状態への復帰に要する時間、又は省電力状態からの復帰とは異なる撮影準備（例えば、ストロボ充電等）に要する時間である。
これにより、撮像装置１においては、インターバル撮影を確約することができる。
【００９７】
動作管理制御部５３は、省電力処理動作の種類（例えば、電源のオフ・スリープ・省電力制御の禁止等）に応じて、省電力処理動作の内容を変化させる。
これにより、撮像装置１においては、効率的に電力消費を抑えることができる。
【００９８】
なお、本発明は、上述の実施形態に限定されるものではなく、本発明の目的を達成できる範囲での変形、改良等は本発明に含まれるものである。
【００９９】
上述の実施形態では、撮影シーンテーブルには、撮影シーン毎に予め設定されている固定の撮影間隔と、撮影処理時間及びその他の復帰に要する時間との差を記憶しておき、その値で省電力制御や復帰制御を決定してもよい。
【０１００】
また、上述の実施形態では、省電力状態からラブビューを確認する、或いは撮影枚数を確認するといった目的のために、入力部１７の所定の操作により、省電力状態から起動状態に復帰可能にしてもよい。
【０１０１】
また、上述の実施形態では、設定されている撮影枚数の撮影が終了する前に、入力部１７の所定の操作により、インターバル撮影を強制的に終了可能にしてもよい。
【０１０２】
また、上述の実施形態では、本発明が適用される撮像装置１は、デジタルカメラを例として説明したが、特にこれに限定されない。
例えば、本発明は、インターバル撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１０３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【０１０４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１０５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【０１０６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【０１０７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１０８】
以下に、本願の出願当初の特許請求の範囲に記載された発明を付記する。
［付記１］
設定されている撮影処理を設定されている撮影間隔で繰り返し実行するインターバル撮影を制御する撮影制御手段と、
前記撮影処理に要する時間、又は撮影可能な状態への復帰に要する時間の違いに応じて、省電力処理動作の内容を変化させる電力管理制御手段と、
を備えることを特徴とする撮像装置。
［付記２］
前記電力管理制御手段は、前記撮影制御手段により制御される前記設定されている間隔と、前記設定されている撮影処理に要する時間とに基づいて、前記省電力処理動作の内容を変化可能に決定させる、
ことを特徴とする付記１に記載の撮像装置。
［付記３］
前記電力管理制御手段は、前記撮影処理が終了してから次の撮影までの残り時間に応じて、省電力処理動作の内容を変化させることを特徴とする付記２に記載の撮像装置。
［付記４］
前記電力管理制御手段は、前記撮影制御手段により制御される前記設定されている撮影間隔と、前記設定されている撮影処理に要する時間との差が所定の時間より短い場合は、省電力処理状態への移行を禁止する、
ことを特徴とする付記２又は３に記載の撮像装置。
［付記５］
前記設定されている撮影処理、又は設定されている撮影間隔は、任意に設定可能であり、
前記電力管理制御手段は、前記撮影制御手段により制御される前記任意に設定された撮影間隔と、前記任意に設定された撮影処理に要する時間とに基づいて、前記省電力処理動作の内容を変化可能に決定させる、
ことを特徴とする付記２に記載の撮像装置。
［付記６］
前記撮影制御手段は、撮影シーンにより前記撮影処理の設定及び前記撮影間隔の設定を変更してインターバル撮影を制御し、
前記電力管理制御手段は、前記撮影シーンに基づいて、前記省電力処理動作の内容を変化させる、
ことを特徴とする付記２に記載の撮像装置。
［付記７］
前記電力管理制御手段は、前記撮影制御手段により制御される前記設定されている撮影間隔と、前記撮影可能な状態への復帰に要する時間とに基づいて、省電力処理動作の内容を変化させる、
ことを特徴とする付記２乃至６のいずれか１つに記載の撮像装置。
［付記８］
前記電力管理制御手段は、前記撮影処理が終了してから次の撮影までの残り時間と、前記撮影可能な状態への復帰に要する時間とに基づいて、省電力処理動作の内容を変化させることを特徴とする付記７に記載の撮像装置。
［付記９］
前記電力管理制御手段は、前記撮影制御手段により制御される前記設定されている撮影間隔と、撮影可能な状態への復帰に要する時間との差が、所定の時間より短い場合は、前記省電力処理動作を禁止する、
ことを特徴とする付記７又は８に記載の撮像装置。
［付記１０］
前記撮影制御手段は、撮影シーンにより前記撮影処理の設定を変更してインターバル撮影を制御し、
前記電力管理制御手段は、前記撮影シーンに対応する撮影可能な状態への復帰に要する時間に基づいて、省電力処理動作の内容を変化させる、
ことを特徴とする付記７に記載の撮像装置。
［付記１１］
前記撮影可能な状態への復帰に要する時間は、省電力状態から撮影可能な状態への復帰に要する時間、又は省電力状態からの復帰とは異なる撮影準備に要する時間である、
ことを特徴とする付記７乃至１０のいずれか１つに記載の撮像装置。
［付記１２］
前記電力管理制御手段は、省電力処理動作の種類に応じて、省電力処理動作の内容を変化させる、
ことを特徴とする付記１乃至１１のいずれか１つに記載の撮像装置。
［付記１３］
前記省電力処理動作の種類は、電源のオフ又はスリープである、
ことを特徴とする付記１２に記載の撮像装置。
［付記１４］
設定されている撮影処理を設定されている撮影間隔で繰り返し実行するインターバル撮影を制御する撮影制御ステップと、
前記撮影処理に要する時間、又は撮影可能な状態への復帰に要する時間の違いに応じて、省電力処理動作の内容を変化させる電力制御ステップと、
を含むことを特徴とする撮像方法。
［付記１５］
撮像装置を制御するコンピュータに、
設定されている撮影処理を設定されている撮影間隔で繰り返し実行するインターバル撮影を制御する撮影制御機能と、
前記撮影処理に要する時間、又は撮影可能な状態への復帰に要する時間の違いに応じて、省電力処理動作の内容を変化させる電力制御機能と、
を実現させるためのプログラム。
【符号の説明】
【０１０９】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・撮影シーン設定部，５２・・・インターバル撮影処理部，５３・・・動作管理制御部，７１・・・撮影シーン情報記憶部，７２・・・動作条件情報記憶部，７３・・・インターバル撮影画像記憶部，９１・・・省電力制御処理部，９２・・・復帰制御処理部
【図１】
0006011555.tif 000002
【図２】
0006011555.tif 000003
【図４】
0006011555.tif 000004
【図５】
0006011555.tif 000005
【図６】
0006011555.tif 000006
【図３】
0006011555.tif 000007